(57)【要約】      （修正有）【課題】容器の内側を洗浄するための棒状の洗浄具よりもコンパクトに収納できる洗浄具であって、しかも、容器内の汚れも容易に洗うことができる洗浄具を提供する。【解決手段】容器の内側を洗浄するための洗浄具１であって、袋状ネット２と、袋状のネット２内のビーズ３と、袋状ネット２の端に接続されている紐４とを含む。【選択図】図１
0003197392.tif 000002
【実用新案登録請求の範囲】
【請求項１】
容器の内側を洗浄するための洗浄具であって、
袋状ネットと、
前記袋状ネット内のビーズと、
前記袋状ネットの端に接続されている紐とを含む、洗浄具。
【請求項２】
前記ビーズは表面に突起を有する、請求項１に記載の洗浄具。
【請求項３】
前記ビーズが星型の形状である、請求項１又は２に記載の洗浄具。
【請求項４】
前記紐の端に接続されている紐保持部をさらに含む、請求項１乃至３のいずれか一項に記載の洗浄具。
【考案の詳細な説明】
【技術分野】
【０００１】
本考案は容器を洗うための洗浄具、特に、容器の内面を洗うための洗浄具に関する。
【背景技術】
【０００２】
飲食物の汚れがついた食器を洗う際には、スポンジ等の洗浄具を使用する。このような洗浄具は、洗剤を泡立てつつ、食器にこびりついた飲食物の残留物を物理的な摩擦により容器から取り除くことができる。
【０００３】
しかし、細長いコップ及び水筒などの円筒状の容器、特に開口部が小さい円筒状の容器は、手に持ったスポンジを容器内に挿入して洗うことが難しい。
【０００４】
このような課題を解決するため、例えば特許文献１のような柄のついた棒状の洗浄具であって、先端付近に洗浄部を有する洗浄具が提案されている。
【０００５】
しかしながら、このような棒状の柄を有する洗浄具は、容器内の底面に対しては圧力をかけることができるため洗浄力は高いが、その一方で容器内の側面に対しては、圧力をかけにくく、高い洗浄力を有しない。また、そのような洗浄具は、筒状の容器の長さ方向よりも長い必要があるため、狭いキッチン内に収納するのが困難であることが多い。
【先行技術文献】
【特許文献】
【０００６】
【特許文献１】特開２０１０−１７８８４４号公報
【考案の概要】
【考案が解決しようとする課題】
【０００７】
本考案は、上記したような棒状の洗浄具よりもコンパクトに収納できる洗浄具であって、しかも、容器内の汚れを容易に洗うことができる洗浄具を提供することを目的とする。
【課題を解決するための手段】
【０００８】
本考案者は、前述したような課題を解決すべく鋭意研究を行った結果、以下の洗浄具を考案するに至った。すなわち、本考案は、容器の内側を洗浄するための洗浄具であって、袋状ネットと、袋状のネット内のビーズと、袋状ネットの端に接続した紐とを含む、洗浄具である。
【考案の効果】
【０００９】
本考案の洗浄具は、従来の容器の内側を洗浄する洗浄具のように棒状ではないため、コンパクトに収納することができ、しかも、十分な洗浄力を有する。さらに、本考案の洗浄具の構成部材は、いずれも低コストであるため経済的である。
【図面の簡単な説明】
【００１０】
【図１】本考案の洗浄具１の正面図である。
【図２】本考案の洗浄具１を円筒状の開口部から挿入した斜視図である。
【考案を実施するための形態】
【００１１】
本考案の洗浄具について、図面を用いて説明する。  
【実施例】
【００１２】
図１は、本考案の実施例である洗浄具１を示す。
【００１３】
［構成］
洗浄具１の構成について説明する。
【００１４】
洗浄具１は、袋状ネット２と、袋状のネット内の星型ビーズ３と、袋状ネットの端に接続されている紐４と、前記紐の端に接続されている紐保持体５とから構成されている。
【００１５】
袋状ネット２は、後述するビーズ３を内部に保持するためのものである。
【００１６】
袋状ネット２は、ネットの目の大きさが約１〜５ｍｍ程度のネットを使用している。袋状ネット２は、ネットを２枚重ねて、周囲を互いに縫着して袋状にする。袋状ネット２内のビーズ３を交換するときの場合を考慮して、袋状ネット２の一辺をチャックにし、開閉可能にすることもできる。
【００１７】
袋状ネット２は四角形であるが、形状は特に限定されない。
【００１８】
ビーズ３は、容器内の汚れを物理的に落とすためのものである。ビーズの素材は樹脂であり、玩具として使用するものを利用できる。なお、容器内を傷つけないように、容器内側の素材よりも低い硬度のものが好ましい。
【００１９】
ビーズ３は、袋状ネット２の内部に複数個入れるが、袋状ネット２の内部の容積に対して、１割〜３割程度の容積になるような個数にすることが好ましい。
【００２０】
ビーズ３の形状は、球、立方体、直方体など特に限定されるものではないが、突起を有するビーズであれば、特に、実施例１のように星型であれば、先端が袋状ネット２のネット部の網目からわずかに突出し、ビーズ３が直接、容器内部の汚れに直接接触できるため、洗浄力が高い。星型ビーズの他には、球でありその表面に複数の突起を有するビーズ、例えば海水中のウニのような形状のビーズであってもよい。
【００２１】
紐４は、容器の内に洗浄具１を入れて洗浄した後、容器から容易に洗浄具１を取り出すためのものである。
【００２２】
紐４は、袋状ネット２の端に取り付けられており、伸縮性を有する紐でもよい。紐４と袋状ネット２とは、縫着により接続されているが、脱着可能であってもよい。
【００２３】
紐保持部５は、洗浄具１を使用して洗浄している最中に紐４の全体が容器内に入り込まないようにするためのものである。
【００２４】
紐保持部５の形状はリングであるため、紐４を非常に容易に取り付けることができるが、リング形状に限定されるものではない。
【００２５】
［作用］
洗浄具１を使用する方法について説明する。
【００２６】
図２に示す円筒状容器６のような、直方体のスポンジ等では洗浄しにくい容器の内側を洗浄するための道具である。なお、図２において、点線は容器を内面を示す。
【００２７】
まず、容器６内に水又は洗剤を含む水を所定量入れる。つぎに、洗浄具１を折り畳むなどして、容器６内に入れる（図２参照）。この時、紐保持部５を備えていれば、紐４が全て容器内に入ってしまうのを防ぐことができる。次に、容器６に蓋がある場合は、蓋をする。容器６に蓋がない場合などは蓋に代わる平板や自分の手のひらなどで容器６の開口部を塞ぐ。そして、容器６を上下に振る。
【００２８】
洗浄具１のビーズ３は星型であるため、容器６を上下に振った振動でビーズ３の一部が袋状ネット２の網目から突出し、突出した部分で容器６の内側の汚れを掻きとることができる。
【００２９】
また、洗浄具１は、紐保持部５を備えているため、容器６を強く振ったとしても、紐４全体が容器６内に入ることを防ぐことができる。
【００３０】
［効果］
以下、本考案の洗浄具１について、効果を列挙する。
【００３１】
［１］ 容器６の内側を洗浄するための洗浄具１であって、袋状ネット２と、袋状ネット２内のビーズ３と、袋状ネット２の端に接続されている紐４とを含む、洗浄具１は、簡易な方法で、円筒状容器６の内側などの洗浄しにくい場所でも、容易に洗浄することができる。また、洗浄具１は、その構成が極めてシンプルであり、また、低価格でもある。そのため、使い捨ての洗浄具としても使用することもできる。
【００３２】
［２］前記ビーズ３は表面に突起を有する場合は、袋状ネット２の穴から突起部分が突出することができ、効果的に汚れを掻き落とすことができる。
【００３３】
［３］前記ビーズが星型の形状であれば、星型の突起部が袋状ネット２の穴から効果的に突出することができ、しかも星型のビーズは市販されているため、低価格で購入することができる。
【００３４】
［４］前記紐４の端に接続されている紐保持部５をさらに含む場合は、洗浄中であっても、紐４の全てが容器６内に入り込むことなく、洗浄後容易に洗浄具１を取り出すことができる。
【符号の説明】
【００３５】
１  洗浄具
２  袋状ネット
３  ビーズ
４  紐
５  紐保持具
６  容器
【図１】
0003197392.tif 000003
【図２】
0003197392.tif 000004